【手続補正書】
【提出日】平成17年12月2日(2005.12.2)
【手続補正１】
【補正対象書類名】明細書
【補正対象項目名】発明の名称
【補正方法】変更
【補正の内容】
【発明の名称】光学ヘッド、記録及び／又は再生装置、並びに記録及び／又は再生方法
【手続補正２】
【補正対象書類名】明細書
【補正対象項目名】特許請求の範囲
【補正方法】変更
【補正の内容】
【特許請求の範囲】
【請求項１】  情報信号が記録される記録層上に光透過層を有する情報記録媒体用の光学ヘッドであって、
光を出射する光源と、
上記光源からの光を上記光透過層を介して上記記録層上に集光させる対物レンズと、
上記光源と上記対物レンズとの間に配され、所定の屈折力を有する光学素子と、
厚さ検出手段によって検出された上記光透過層の厚さに応じて、球面収差を打ち消すように上記光学素子を移動させる移動手段とを備えることを特徴とする光学ヘッド。
【請求項２】  上記光学素子は、コリメータレンズからなることを特徴とする請求項１記載の光学ヘッド。
【請求項３】  上記光透過層の膜厚が０．４７ｍｍ以下であり、
上記対物レンズの開口数ＮＡが０．６５以上であることを特徴とする請求項１記載の光学ヘッド。
【請求項４】  上記移動手段は、
上記光源から出射し上記光学素子に入射する光の光軸に対して略平行に配された基準軸と、
上記光学素子を支持するととともに、上記基準軸に沿って平行移動可能とされた光学素子支持手段と、
モータと、
上記モータの回転を光軸方向に沿った平行移動に変換して上記光学素子支持手段に伝達するギヤ機構とを備え、
上記モータの回転を上記ギヤ機構によって光軸方向に沿った平行移動へと変換して上記光学素子支持手段を動かすことで、上記光透過層の厚さに応じて、球面収差を打ち消すように上記光学素子を移動させることを特徴とする請求項１記載の光学ヘッド。
【請求項５】  上記光源から出射された光が上記対物レンズによって上記情報記録媒体上に集光されて、上記情報記録媒体で反射された戻り光を受光してフォーカスエラー信号を検出する光検出器を備え、
上記厚さ検出手段は、上記光検出器によって検出された上記フォーカスエラー信号のうち、上記記録層で反射された戻り光による信号と、上記光透過層の表面で反射された戻り光による信号とから、上記光透過層の厚さを検出することを特徴とする請求項１記載の光学ヘッド。
【請求項６】  情報信号が記録される記録層上に光透過層を有する情報記録媒体に対して記録及び／又は再生を行う記録及び／又は再生装置であって、
上記光透過層の厚さを検出する厚さ検出手段と、
上記情報記録媒体に対して上記光透過層を介して上記記録層に光を照射するとともに、その反射光を検出する光学ヘッドとを備え、
上記光学ヘッドは、
光を出射する光源と、
上記光源からの光を上記光透過層を介して上記記録層上に集光させる対物レンズと、
上記光源と上記対物レンズとの間に配され、所定の屈折力を有する光学素子と、
上記厚さ検出手段によって検出された上記光透過層の厚さに応じて、球面収差を打ち消すように上記光学素子を移動させる移動手段とを備えることを特徴とする記録及び／又は再生装置。
【請求項７】  上記光学素子は、コリメータレンズからなることを特徴とする請求項６記載の記録及び／又は再生装置。
【請求項８】  上記光透過層の膜厚が０．４７ｍｍ以下であり、
上記対物レンズの開口数ＮＡが０．６５以上であることを特徴とする請求項６記載の記録及び／又は再生装置。
【請求項９】  上記移動手段は、
上記光源から出射し上記光学素子に入射する光の光軸に対して略平行に配された基準軸と、
上記光学素子を支持するととともに、上記基準軸に沿って平行移動可能とされた光学素子支持手段と、
モータと、
上記モータの回転を光軸方向に沿った平行移動に変換して上記光学素子支持手段に伝達するギヤ機構とを備え、
上記モータの回転を上記ギヤ機構によって光軸方向に沿った平行移動へと変換して上記光学素子支持手段を動かすことで、上記光透過層の厚さに応じて、球面収差を打ち消すように上記光学素子を移動させることを特徴とする請求項６記載の記録及び／又は再生装置。
【請求項１０】  上記光学ヘッドは、上記光源から出射された光が上記対物レンズによって上記情報記録媒体上に集光されて、上記情報記録媒体で反射された戻り光を受光してフォーカスエラー信号を検出する光検出器を備え、
上記厚さ検出手段は、上記光検出器によって検出された上記フォーカスエラー信号のうち、上記記録層で反射された戻り光による信号と、上記光透過層の表面で反射された戻り光による信号とから、上記光透過層の厚さを検出することを特徴とする請求項６記載の記録及び／又は再生装置。
【請求項１１】  情報信号が記録される記録層上に光透過層を有する情報記録媒体に対して記録及び／又は再生を行う際に、
上記光透過層の厚さを検出する厚さ検出手段と、
光を出射する光源と、上記光源からの光を上記光透過層を介して上記記録層上に集光させる対物レンズと、上記光源と上記対物レンズとの間に配された所定の屈折力を有する光学素子とを備えた光学ヘッドとを使用するとともに、
上記厚さ検出手段により上記光透過層の厚さを検出し、その検出結果に応じて、球面収差を打ち消すように上記光学素子を移動させることを特徴とする記録及び／又は再生方法。
【請求項１２】  上記光学素子として、コリメータレンズを使用することを特徴とする請求項１１記載の記録及び／又は再生方法。
【請求項１３】  上記光透過層の膜厚が０．４７ｍｍ以下であり、
上記対物レンズの開口数ＮＡが０．６５以上であることを特徴とする請求項１１記載の記録及び／又は再生方法。
【請求項１４】  上記光学ヘッドの光検出器が、上記光源から出射された光が上記対物レンズによって上記情報記録媒体上に集光されて、上記情報記録媒体で反射された戻り光を受光してフォーカスエラー信号を検出し、
上記厚さ検出手段が、上記光検出器によって検出された上記フォーカスエラー信号のうち、上記記録層で反射された戻り光による信号と、上記光透過層の表面で反射された戻り光による信号とから、上記光透過層の厚さを検出することを特徴とする請求項１１記載の記録及び／又は再生方法。
【手続補正３】
【補正対象書類名】明細書
【補正対象項目名】０００１
【補正方法】変更
【補正の内容】
【０００１】
【発明の属する技術分野】
本発明は、光ディスク等のような情報記録媒体に対して記録及び／又は再生を行う際に使用される光学ヘッド、並びにそのような光学ヘッドを備えた記録及び／又は再生装置に関する。また、本発明は、光ディスク等のような情報記録媒体の記録及び／又は再生方法に関する。
【手続補正４】
【補正対象書類名】明細書
【補正対象項目名】００１０
【補正方法】変更
【補正の内容】
【００１０】
本発明は、以上のような従来の実情に鑑みて提案されたものであり、開口数ＮＡを大きくしても球面収差を抑えることが可能な光学ヘッド並びに記録及び／又は再生装置を提供することを目的としている。また、本発明は、開口数ＮＡを大きくしても球面収差を抑えることが可能な記録及び／又は再生方法を提供することも目的としている。
【手続補正５】
【補正対象書類名】明細書
【補正対象項目名】００１１
【補正方法】変更
【補正の内容】
【００１１】
【課題を解決するための手段】
本発明に係る光学ヘッドは、情報信号が記録される記録層上に光透過層を有する情報記録媒体用の光学ヘッドである。そして、光を出射する光源と、上記光源からの光を上記光透過層を介して上記記録層上に集光させる対物レンズと、上記光源と上記対物レンズとの間に配された所定の屈折力を有する光学素子と、厚さ検出手段によって検出された上記光透過層の厚さに応じて球面収差を打ち消すように上記光学素子を移動させる移動手段とを備えることを特徴とする。
【手続補正６】
【補正対象書類名】明細書
【補正対象項目名】００１４
【補正方法】変更
【補正の内容】
【００１４】
また、上記光学ヘッドにおいて、光学素子を移動させる移動手段としては、光源から出射し光学素子に入射する光の光軸に対して略平行に配された基準軸と、光学素子を支持するととともに基準軸に沿って平行移動可能とされた光学素子支持手段と、モータと、モータの回転を光軸方向に沿った平行移動に変換して光学素子支持手段に伝達するギヤ機構とを備えたものが好適である。この場合、移動手段は、モータの回転をギヤ機構によって光軸方向に沿った平行移動へと変換して光学素子支持手段を動かすことで、光透過層の厚さに応じて、球面収差を打ち消すように光学素子を移動させる。
また、上記光学ヘッドにおいて、上記光源から出射された光が上記対物レンズによって上記情報記録媒体上に集光されて、上記情報記録媒体で反射された戻り光を受光してフォーカスエラー信号を検出する光検出器を備え、上記厚さ検出手段は、上記光検出器によって検出された上記フォーカスエラー信号のうち、上記記録層で反射された戻り光による信号と、上記光透過層の表面で反射された戻り光による信号とから、上記光透過層の厚さを検出する。
【手続補正７】
【補正対象書類名】明細書
【補正対象項目名】００１９
【補正方法】変更
【補正の内容】
【００１９】
また、上記記録及び／又は再生装置において、光学素子を移動させる移動手段としては、光源から出射し光学素子に入射する光の光軸に対して略平行に配された基準軸と、光学素子を支持するととともに基準軸に沿って平行移動可能とされた光学素子支持手段と、モータと、モータの回転を光軸方向に沿った平行移動に変換して光学素子支持手段に伝達するギヤ機構とを備えたものが好適である。この場合、移動手段は、モータの回転をギヤ機構によって光軸方向に沿った平行移動へと変換して光学素子支持手段を動かすことで、光透過層の厚さに応じて、球面収差を打ち消すように光学素子を移動させる。
また、上記記録及び／又は再生装置において、上記光学ヘッドは、上記光源から出射された光が上記対物レンズによって上記情報記録媒体上に集光されて、上記情報記録媒体で反射された戻り光を受光してフォーカスエラー信号を検出する光検出器を備え、上記厚さ検出手段は、上記光検出器によって検出された上記フォーカスエラー信号のうち、上記記録層で反射された戻り光による信号と、上記光透過層の表面で反射された戻り光による信号とから、上記光透過層の厚さを検出する。
【手続補正８】
【補正対象書類名】明細書
【補正対象項目名】００２１
【補正方法】変更
【補正の内容】
【００２１】
また、本発明に係る記録及び／又は再生方法は、情報信号が記録される記録層上に光透過層を有する情報記録媒体に対して記録及び／又は再生を行う方法である。そして、上記情報記録媒体に対して記録及び／又は再生を行う際に、上記光透過層の厚さを検出する厚さ検出手段と、光を出射する光源と、上記光源からの光を上記光透過層を介して上記記録層上に集光させる対物レンズと、上記光源と上記対物レンズとの間に配された所定の屈折力を有する光学素子とを備えた光学ヘッドとを使用するとともに、上記厚さ検出手段により上記光透過層の厚さを検出し、その検出結果に応じて、球面収差を打ち消すように上記光学素子を移動させることを特徴としている。
【手続補正９】
【補正対象書類名】明細書
【補正対象項目名】００２３
【補正方法】変更
【補正の内容】
【００２３】
また、上記記録及び／又は再生方法において、上記対物レンズの開口数ＮＡを０．６５以上とする場合、上記情報記録媒体としては、光透過層の膜厚が０．４７ｍｍ以下のものが好適である。
また、上記記録及び／又は再生方法において、上記光学ヘッドの光検出器が、上記光源から出射された光が上記対物レンズによって上記情報記録媒体上に集光されて、上記情報記録媒体で反射された戻り光を受光してフォーカスエラー信号を検出し、上記厚さ検出手段が、上記光検出器によって検出された上記フォーカスエラー信号のうち、上記記録層で反射された戻り光による信号と、上記光透過層の表面で反射された戻り光による信号とから、上記光透過層の厚さを検出する。
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】